(57)【要約】外部ケースの左右側面及び下面に形成された吐出ユニットを介して吐き出される空気が、外部ケースの前方の外側に方向性を有して吐き出され、吸入部側に伝わらない。したがって、空気流動が円滑に行われ、迅速に空気調和が行われるし、外部ケースに形成された吸入部と吐出ユニットが空気調和器の動作中にのみ開放され、平常時に外部からの異物質の浸透を防止でき、きれいな外観を構成可能である。
2004529308.tif 000002
【特許請求の範囲】
【請求項１】
内部に構成部品が設置される外部ケースと、
前記外部ケースの前方に設置され、開閉可能な空気吸入部を備えた前面パネルと、
前記外部ケースの左右、及び下側方向に設置され、熱交換された空気を空気調和が要求される空間に吐き出す吐出ユニットとを含むことを特徴とする空気調和器の室内機。
【請求項２】
前記吐出ユニットは、前記外部ケースの左右側面、及び下部面に備えられるものであり、
骨格をなす吐出グリルと、
別の駆動源によって駆動して吐出口を選択的に開閉し、吐き出される空気を外部ケースの前方の外側に案内する吐出ルーバと、
前記それぞれの吐出口からの空気が全体的に一方向に回転しながら吐き出されるように案内する吐出べインとを含むことを特徴とする請求項１記載の空気調和器の室内機。
【請求項３】
前記吐出べインは、前記吐出口がその長さ方向に沿って分割されることを特徴とする請求項２記載の空気調和器の室内機。
【請求項４】
前記吐出べインは、前記吐出グリルに一体に形成されることを特徴とする請求項２または請求項３記載の空気調和器の室内機。
【請求項５】
前記吐出ルーバのルーバボディの内面は前記吐出口を介して吐き出される空気を案内するよう、その上流部から下流部に向かって所定の曲率を有するように形成され、ルーバボディの先端の外面には先端平面部が備えられることを特徴とする請求項２記載の空気調和器の室内機。
【請求項６】
前記ルーバボディの上流部の外面には吐出ルーバの開放時にルーバボディの外面とそれに対応する吐出口との間を塞ぐ閉塞部がさらに備えられることを特徴とする請求項５記載の空気調和器の室内機。
【請求項７】
前記吐出ユニットの収容のための吐出ユニット収容空間が前記外部ケースの側面にそれぞれ備えられ、
前記吐出ユニット収容空間に収容される吐出グリルと、前記吐出ユニット収容空間に隣り合う外部ケースの内側面とには、それぞれ吐出ユニットと外部ケースとの組立のためのハンギング片と、ハンギング突起がそれぞれ備えられることを特徴とする請求項２記載の空気調和器の室内機。
【請求項８】
前記吐出グリルの一方には収容台が形成され、前記外部ケースに形成された収容溝に収容されることを特徴とする請求項７記載の空気調和器の室内機。
【請求項９】
内部に構成部品が設置される外部ケースと、
前記外部ケースの前方に設置される前面パネルと、
前記前面パネルに設置され、空気調和が要求される空間の空気を内部に吸入できるように開閉可能なグリルルーバと、
前記グリルルーバの開放時に吸入され、熱交換された空気を吐出ユニットに案内するよう外部ケースの内部に設置される吐出ガイドと、
前記外部ケースの左右、及び下側方向に設置され、吐出ガイドによって案内された空気を外部に吐き出す吐出ユニットとを含むことを特徴とする空気調和器の室内機。
【請求項１０】
前記吐出ガイドは前記外部ケースのベース面に備えられ、
前記ベース面の下端の両側には一体に吐出ガイドが形成され、
前記ベース面の上端には、上端の一方から他端に向かって長く吐出ガイドが別に設置されることを特徴とする請求項９記載の空気調和器の室内機。
【請求項１１】
前記ベース面の上端に備えられる吐出ガイドはスチロフォーム材で形成され、
送風ファンと向き合う部分には曲率を有する案内面が形成されることを特徴とする請求項１０記載の空気調和器の室内機。
【請求項１２】
前記ベース面に一体に形成された吐出ガイドには、リードワイヤが収容されるリードワイヤ溝が形成されることを特徴とする請求項１０記載の空気調和器の室内機。
【請求項１３】
内部に構成部品が設置される外部ケースと、
前記外部ケースの前方に設置される前面パネルと、
前記前面パネルに設置され、空気調和が要求される空間の空気を内部に吸入できるように開閉可能なグリルルーバと、
前記グリルルーバの下部に前記前面パネルに沿って昇降可能に設置され、前記グリルルーバの後方に設置されるフィルタの着脱のための接近路として使われるベースパネルと、
前記外部ケースの左右、及び下側面に備えられ、前記グリルルーバの開放時に内部に吸入され熱交換された空気を前記空気調和のための空間に吐き出す吐出ユニットとを含むことを特徴とする空気調和器の室内機。
【請求項１４】
前記ベースパネルは、その上端の両側に突出してガイドピンが形成され、前記ガイドピンは、前記前面パネルに形成されたガイドスロットに沿って移動してベースパネルの昇降を案内することを特徴とする請求項１３記載の空気調和器の室内機。
【請求項１５】
前記ベースパネルと前記前面パネルには、ベースパネルの昇降を案内するためのガイドがそれぞれ備えられることを特徴とする請求項１４記載の空気調和器の室内機。
【請求項１６】
前記前面パネルの背面から前面に貫通し、前記ベースパネルの背面を支持するロッカーがさらに備えられ、
前記前面パネルの背面には、前記ロッカーが装着されるロッカー装着部がさらに備えられることを特徴とする請求項１３、または請求項１５記載の空気調和器の室内機。
【請求項１７】
前記ロッカーは、
その先端が前記前面パネルの前方に突出して、前記ベースパネルを支持する支持棒と、
前記支持棒の後端に一体に形成され、前記ロッカー装着部に収容される収容ボディと、
前記収容ボディの周縁に一体に形成され、前記ロッカー装着部への締結のためのフックが先端に備えられる多数個の締結翼とを含むことを特徴とする請求項１６記載の空気調和器の室内機。
【請求項１８】
前記ロッカー装着部は、
前記収容ボディが収容される収容空間と、
前記収容空間を形成するガイドリブの内面に沿って前記締結翼の数と対応して形成され、前記締結翼を固定するロッキングリブと、
前記支持棒が前記前面パネルの前面に突出するようにする通孔とを含むことを特徴とする請求項１７記載の空気調和器の室内機。
【請求項１９】
前記ベースパネルの背面には前記ロッカーの支持棒を案内する案内リブが形成されることを特徴とする請求項１８記載の空気調和器の室内機。
【請求項２０】
前記ベースパネルには表示部がさらに備えられ、
前記表示部は、ベースパネルの背面に締結されるハウジングと、
前記ハウジングの内部に設置され、光を発光する光源と、
前記ハウジングの内部に収容される基板上に設置され、前記ベースパネルの背面に装着され、前記光源の光を伝達する光伝達体と、
前記基板上に設置され、前記光源から発光した光を前記光伝達体に案内する光案内体と、
前記光伝達体上に設置され、前記ベースパネルの前面に露出され、ベースパネルの前方に光を提供する発光部とを含むことを特徴とする請求項１３記載の空気調和器の室内機。
【請求項２１】
前記光案内体は、
内部に光案内孔が形成され、その出口が前記光伝達体に密着するボディと、
前記ボディに一体に形成され、先端部にフックを備え、弾性によって基板上に装着される装着レグとを含むことを特徴とする請求項２０記載の空気調和器の室内機。
【請求項２２】
前記光源は前記光伝達体の両端にそれぞれ設置されるもので、
光の３原色とこれらの組合せで多数の色を形成して、前記発光部で表示するようにすることを特徴とする請求項２０記載の空気調和器の室内機。
【請求項２３】
内部に構成部品が設置される外部ケースと、
前記外部ケースの前方に設置される前面パネルと、
前記前面パネルに設置され、空気調和が要求される空間の空気を内部に吸入できるように開閉可能なグリルルーバと、
前記前面パネルを通過する空気を浄化するように前記グリルルーバの後方に設置され、前記前面パネルの表面に沿って上下に移動して着脱されるフィルタと、
前記外部ケースの左右、及び下側面に備えられ、前記グリルルーバの開放時に内部に吸入され熱交換された空気を前記空気調和が要求される空間に吐き出す吐出ユニットとを含むことを特徴とする空気調和器の室内機。
【請求項２４】
前記フィルタは、
所定の形状の吸入フィルタフレームの内部に空気調和のための空間で空気調和器の内部に流動する空気を通過させながら塵を濾すフィルタ部を備えた吸入フィルタ部と、
前記吸入フィルタフレームに一体に設置され、前記空気中の匂いを濾す脱臭フィルタ部とを含むことを特徴とする請求項２３記載の空気調和器の室内機。
【請求項２５】
前記脱臭フィルタ部は、前記吸入フィルタフレームに一体に形成された後方フレームと、
前記後方フレームに着脱可能に設置され、後方フレームとの間に所定の空間を形成する前方フレームと、
前記前方フレームと後方フレームとの間に設置され、脱臭作用をする脱臭部とを含むことを特徴とする請求項２４記載の空気調和器の室内機。
【請求項２６】
前記前方フレームと後方フレームとの組立のために、
前記前方フレームと後方フレームの両端に突出して形成され、互いに結合する結合凹溝と、結合突起を選択的に備える前、後方結合突片と、
前記前方フレームと後方フレームにそれぞれ選択的に形成され、互いに締結される結合切欠部と、結合片とをさらに含むことを特徴とする請求項２５記載の空気調和器の室内機。
【請求項２７】
前記フィルタは、前記前面パネルに形成された吸入通孔部に設置されるが、前記吸入通孔部には通孔フレームが格子状に備えられ、前記フィルタを支持することを特徴とする請求項２４記載の空気調和器の室内機。
【請求項２８】
前記吸入フィルタフレームの上端には前面パネルへの設置のためのハンギング突起がそれぞれ備えられ、
前記吸入フィルタフレームの下端には着脱のための取っ手が備えられることを特徴とする請求項２７記載の空気調和器の室内機。
【請求項２９】
前記前面パネルの吸入通孔部の両端に沿っては前記フィルタの両端をガイドし、かつ支持するフィルタ収容端が備えられ、
前記フィルタの上端及び下端に対応する位置に形成され、前記フィルタの一方が挿入され引っ掛かるようにするハンギング部がさらに備えられることを特徴とする請求項２８記載の空気調和器の室内機。
【請求項３０】
前記フィルタの取っ手と、前記前面パネルの前面の下端に設置されるベースパネルとの干渉を防止するために、
前記ベースパネルの内側の上端に干渉防止部がさらに備えられることを特徴とする請求項２９記載の空気調和器の室内機。
【請求項３１】
内部に構成部品が設置される外部ケースと、
前記外部ケースの前方に設置される前面パネルと、
前記前面パネルに設置され、空気調和が要求される空間の空気を内部に吸入できるように開閉可能なグリルルーバと、
前記グリルルーバを空気調和器の動作状態に応じて開閉するグリルルーバ駆動部と、
前記外部ケースの左右、及び下側面に備えられ、前記グリルルーバの開放時に内部に吸入され熱交換された空気を前記空気調和が要求される空間に吐き出す吐出ユニットとを含むことを特徴とする空気調和器の室内機。
【請求項３２】
前記グリルルーバ駆動部は、
前記グリルルーバの駆動のための駆動力を提供するモータと、
前記モータが装着され、前記前面パネルに設置され、内部に収容空間を備えるギアハウジングと、
前記ギアハウジングに設置され、前記モータを駆動させる駆動ギアと、
前記ギアハウジングの収容空間に収容され、前記駆動ギアの駆動力が伝達され動作するラックギアバーと、
前記ギアハウジングに設置され、前記ラックギアバーと噛み合わされ前記モータの駆動力を前記グリルルーバに伝達する従動ギアとを含むことを特徴とする請求項３１記載の空気調和器の室内機。
【請求項３３】
前記従動ギアは、一部分にのみ歯が形成される円弧ギアであることを特徴とする請求項３２記載の空気調和器の室内機。
【請求項３４】
内部に構成部品が設置される外部ケースと、
前記外部ケースの前方に設置される前面パネルと、
前記前面パネルに設置され、空気調和が要求される空間の空気を内部に吸入できるように開閉可能なグリルルーバと、
前記グリルルーバの開放時に吸入され熱交換された空気を吐出ユニットに案内するよう外部ケースの内部に設置される吐出ガイドと、
前記前面パネルを通過する空気を浄化するように前記グリルルーバの後方に設置され、前記前面パネルの表面に沿って上下に移動して着脱されるフィルタと、
前記グリルルーバの下部に前記前面パネルに沿って昇降可能に設置され、前記グリルルーバの後方に設置されるフィルタの着脱のための接近路として使われるベースパネルと、
前記外部ケースの左右、及び下側面に備えられ、前記グリルルーバの開放時に内部に吸入され熱交換された空気を、前記空気調和が要求される空間に吐き出す吐出ユニットとを含むことを特徴とする空気調和器の室内機。
【請求項３５】
前記グリルルーバの自動開閉のためのグリルルーバ駆動部が追加的に設置されることを特徴とする請求項３４記載の空気調和器の室内機。
【請求項３６】
前記グリルルーバ駆動部は、
前記グリルルーバの駆動のための駆動力を提供するモータと、
前記モータが装着され、前記前面パネルに設置され、内部に収容空間を備えるギアハウジングと、
前記ギアハウジングに設置され、前記モータを駆動させる駆動ギアと、
前記ギアハウジングの収容空間に収容され、前記駆動ギアの駆動力が伝達され動作するラックギアバーと、
前記ギアハウジングに設置され、前記ラックギアバーと噛み合わされ前記モータの駆動力を前記グリルルーバに伝達する従動ギアとを含むことを特徴とする請求項３５記載の空気調和器の室内機。
【発明の詳細な説明】
【技術分野】
【０００１】
本発明は空気調和器に関し、特に冷気の吸入と吐出が円滑に行われ、室内を均等に空気調和させられる空気調和器の室内機に関する。
【背景技術】
【０００２】
図１及び図２には従来技術による空気調和器の室内機の構成が示されている。
これによれば、室内機の外観をケーシング１が形成する。ケーシング１は平たい長方形で構成され、上下及び左右方向への長さが前後の幅より相対的に長くなる。
【０００３】
ケーシング１の前面には吸入部３が形成され、これは空気調和のための空間の空気をケーシング１の内部に吸入する通路となる。
【０００４】
吸入部３の後方には熱交換機５が設置される。熱交換機５は、熱交換サイクルの冷媒と、吸入部３を介して空気調和のための空間で吸入された空気との熱交換が行われる部分である。このような熱交換機５は、吸入部３とその面積が対応するよう四角形で形成される。
【０００５】
熱交換機５の中央には、後述するモータ７と、ターボファン９との干渉を避けるために通孔６が形成されている。
【０００６】
ケーシング１の内部の後方にはモータ７が設置される。モータ７の回転軸は、ケーシング１の後方から前方方向に設置され、回転軸にはターボファン９が設置される。ターボファン９は、室内機の内部で空気の流動のための原動力を提供する部分で、前方から回転軸方向に空気を吸入して円心方向に吹き出す。
【０００７】
ケーシング１の上下左右の側面には、ターボファン９によって吹き出される空気を、空気調和のための空間に吐き出す吐出口１１が備えられる。吐出口１１にはそれぞれ吐出口ベイン１３が設置され、吐出口１１から吐き出される空気の方向を調節する。
【０００８】
一方、熱交換機５と、ターボファン９との間にはオリフィス１５が設置されるが、オリフィス１５の中央にはオリフィス孔が形成され、熱交換機５を通過した空気がターボファン９に案内されるようにする。
【０００９】
かかる構成を有する従来技術によって空気調和器の室内機は次のように作動する。
【００１０】
空気調和器が駆動すると、熱交換サイクルが作動しながら相対的に低温となった冷媒が熱交換機５に伝達される。そして、モータ７によってターボファン９が回転しながら空気調和のための空間の空気を吸入する。即ち、ターボファン９が回転すると、空気調和のための空間の空気が吸入部３を介してケーシング１の内部に吸入される。また、吸入部３を介して吸入された空気は、熱交換機５を通過しながら熱交換され、相対的に低温の冷気となる。熱交換機５で生成された冷気はターボファン９に吸入され、ターボファン９の円心方向に吐き出される。ターボファン９から吐き出された空気は、ケーシング１の上下左右の側面に形成されている吐出口１１を介して空気調和のための空間に吐き出される。この際、吐出口１１の吐出口ベイン１３は開放状態となり、吐き出される冷気の吐出方向を調節する。
【発明の開示】
【発明が解決しようとする課題】
【００１１】
しかしながら、上記のような従来技術による空気調和器の室内機には次のような問題点がある。
【００１２】
まず、従来の室内機では吐出口１１がケーシング１の上下左右の側面にそれぞれ形成され、４方向に冷気が吐き出される。
【００１３】
しかし、低温の空気は流動特性上、下部に下がることが一般的であるので、ケーシング１の上側面に形成された吐出口１１を介して吐き出される冷気はケーシング１の前方に下がり、再び吸入部３を介して室内機の内部に吸入される。これにより、空気調和器の効率が落ちるという問題がある。
【００１４】
また、このようにケーシング１の上方向に吐き出された空気が再び吸入部３に吸入される空気の流動により、室内空間全体の空気調和が設計どおりに行われず、室内空間の実際の温度より吸入部３を介して吸入される空気の温度の方が低くなり、空気調和器が正確な温度データを得られず、室内空間全体の空気調和が迅速に行われえない。
【００１５】
吸入部３は、空気調和器の動作中、または非動作中にも常に開放状態にある。即ち、空気を通過させながらも内部にユーザの手など物が挿入されないように一定の部分が開放されなければならず、この部分が常に開放された状態を維持する。このため、吸入部３の内部に室内空間の塵や異物質が多量浸透する。このようになると、吸入部３と熱交換機５との間に設置されるフィルタ（図示せず）を頻繁に掃除しなければならない。また、上記のように吸入部３が常に開放されているので外観上良くない。
【００１６】
尚、上記のような従来技術ではフィルタの着脱が容易ではない。即ち、フィルタ交換のためには吸入グリル（図示せず）を分離しなければならず、フィルタ交換作業が面倒くさくなる。また、フィルタは、単に塵のみを濾すように構成されているため、空気中に混ざっている匂いを除去することはできない。
【００１７】
そして、従来技術では空気調和器の動作状態を表示するための表示部が別途に備えられていないため、ユーザにとって空気調和器の動作状態が分かりづらい。
【００１８】
一方、従来技術では熱交換機５と、ターボファン９との間を区画するオリフィス１５が相当広い面積の長方形に形成され、捩れが発生しやすく、室内機の内部で空気の流動が正確に行われない。特に、オリフィス１５の縁部とケーシング１との間がきちんと密封されないと、ターボファン９を通過して吐き出される空気の一部が漏洩するという問題が発生する。
【００１９】
そして、ケーシング１は、その４側面に吐出口１１が形成され、後面の面積と前面の面積とが同一に形成され、相対的に強度が弱い。また、ケーシング１は、その背面の面積が相対的に大きく、撓みやすいので、これに装着される部品を堅固に支持できないという問題がある。
【００２０】
最後に、従来技術では、吐出口１１に設置された吐出口ベイン１３に吐出ルーバ１４が一体に形成されて重いので、吐出口ベインの駆動のためにはモータに相対的に多くの負荷が加えられる。
【００２１】
そして、吐出口ベイン１３の開放時にケーシング外面の後方に空気が漏洩するので、空気の流動が設計どおりに行われないという問題もある。
【００２２】
そこで、本発明の目的は、空気調和器の室内機に吸入、または吐き出される空気の流れを確実に分離して形成することにある。
【００２３】
本発明の他の目的は、より迅速に空気調和が行えるようにすることにある。
【００２４】
本発明の他の目的は、外部の異物質が室内機の内部に浸透することを遮断することにある。
【００２５】
本発明の他の目的は、空気調和器の室内機の外観を美麗にすることにある。
【００２６】
本発明の他の目的は、空気調和器のフィルタの着脱が容易に行われるようにすることにある。
【００２７】
本発明の他の目的は、塵ばかりでなく、匂いをも除去可能なフィルタを提供することにある。
【００２８】
本発明の他の目的は、空気調和器を構成する部品を簡素化することにある。
【００２９】
本発明の他の目的は、空気調和器の動作状態を表示し、より効率的に光を使用する表示部を提供することにある。
【００３０】
本発明の他の目的は、室内機の内部に空気を伝達する吸入部を開閉するグリルルーバの動作をより効率的に行いながらもスリム化した構成を提供することにある。
【００３１】
本発明の他の目的は、熱交換機とターボファンとの間を区画するオリフィスを簡素化しながら強度を高めることにある。
【００３２】
本発明の他の目的は、室内機の外観を構成する外部ケースの強度を高めることにある。
【００３３】
本発明の他の目的は、吐出ユニットの強度が補強され、電源消耗を少なくすることにある。
【００３４】
本発明の他の目的は、吐出ユニットを介して吐き出される空気が正確に案内され流動しえるようにすることにある。
【課題を解決するための手段】
【００３５】
上記目的を達成するための本発明の形態によれば、本発明の空気調和器用室内機は、内部に構成部品が設置される外部ケースと、前記外部ケースの前方に設置され、開閉可能な空気吸入部を備えた前面パネルと、前記外部ケースの左右、及び下側方向に設置され、熱交換された空気を空気調和が要求される空間に吐き出す吐出ユニットとを含むことを特徴とする。
【００３６】
この際、前記吐出ユニットは、前記外部ケースの左右側面、及び下部面に備えられるものであって、骨格をなす吐出グリルと、別の駆動源によって駆動して前記吐出口を選択的に開閉し、吐き出される空気を外部ケースの前方の外側に案内する吐出ルーバと、前記それぞれの吐出口からの空気が全体的に一方向に回転しながら吐き出されるように案内する吐出べインとを含む。
【００３７】
前記吐出べインは、前記吐出口がその長さ方向に沿って分割される。前記吐出べインは、前記吐出グリルに一体に形成される。
【００３８】
前記吐出ルーバのルーバボディの内面は前記吐出口を介して吐き出される空気を案内するよう、その上流部から下流部に向かって所定の曲率を有するように形成され、ルーバボディの先端の外面には先端平面部が備えられる。
【００３９】
前記ルーバボディの上流部の外面には吐出ルーバの開放時にルーバボディの外面とそれに対応する吐出口との間を塞ぐ閉塞部がさらに備えられる。
【００４０】
前記吐出ユニットの収容のための吐出ユニット収容空間が前記外部ケースの側面にそれぞれ備えられ、前記吐出ユニット収容空間に収容される吐出グリルと、前記吐出ユニット収容空間に隣り合う外部ケースの内側面とには、それぞれ吐出ユニットと外部ケースとの組立のためのハンギング片と、ハンギング突起がそれぞれ備えられる。
【００４１】
前記吐出グリルの一方には収容台が形成され、前記外部ケースに形成された収容溝に収容される。
【００４２】
一方、上記目的を達成するための本発明の他の形態によれば、内部に構成部品が設置される外部ケースと、前記外部ケースの前方に設置される前面パネルと、前記前面パネルに設置され、空気調和が要求される空間の空気を内部に吸入できるように開閉可能なグリルルーバと、前記グリルルーバの開放時に吸入され、熱交換された空気を吐出ユニットに案内するよう外部ケースの内部に設置される吐出ガイドと、前記外部ケースの左右、及び下側方向に設置され、吐出ガイドによって案内された空気を外部に吐き出す吐出ユニットとを含む。
【００４３】
この際、前記吐出ガイドは前記外部ケースのベース面に備えられ、前記ベース面の下端の両側には一体に吐出ガイドが形成され、前記ベース面の上端には、上端の一方から他端に向かって長く吐出ガイドが別に設置される。
【００４４】
前記ベース面の上端に備えられる吐出ガイドはスチロフォーム材で形成され、送風ファンと向き合う部分には曲率を有する案内面が形成される。
【００４５】
前記ベース面に一体に形成された吐出ガイドには、リードワイヤが収容されるリードワイヤ溝が形成される。
【００４６】
一方、上記目的を達成するための本発明のまた他の形態によれば、内部に構成部品が設置される外部ケースと、前記外部ケースの前方に設置される前面パネルと、前記前面パネルに設置され、空気調和が要求される空間の空気を内部に吸入できるように開閉可能なグリルルーバと、前記グリルルーバの下部に前記前面パネルに沿って昇降可能に設置され、前記グリルルーバの後方に設置されるフィルタの着脱のための接近路として使われるベースパネルと、前記外部ケースの左右、及び下側面に備えられ、前記グリルルーバの開放時に内部に吸入され熱交換された空気を前記空気調和のための空間に吐き出す吐出ユニットとを含むことを特徴とする。
【００４７】
前記ベースパネルは、その上端の両側に突出してガイドピンが形成され、前記ガイドピンは、前記前面パネルに形成されたガイドスロットに沿って移動してベースパネルの昇降を案内する。
【００４８】
前記ベースパネルと前記前面パネルには、ベースパネルの昇降を案内するためのガイドがそれぞれ備えられる。
【００４９】
前記前面パネルの背面から前面に貫通し、前記ベースパネルの背面を支持するロッカーがさらに備えられ、前記前面パネルの背面には、前記ロッカーが装着されるロッカー装着部がさらに備えられる。
【００５０】
前記ロッカーは、その先端が前記前面パネルの前方に突出して、前記ベースパネルを支持する支持棒と、前記支持棒の後端に一体に形成され、前記ロッカー装着部に収容される収容ボディと、前記収容ボディの周縁に一体に形成され、前記ロッカー装着部への締結のためのフックが先端に備えられる多数個の締結翼とを含む。
【００５１】
前記ロッカー装着部は、前記収容ボディが収容される収容空間と、前記収容空間を形成するガイドリブの内面に沿って前記締結翼の数と対応して形成され、前記締結翼を固定するロッキングリブと、前記支持棒が前記前面パネルの前面に突出するようにする通孔とを含む。
【００５２】
前記ベースパネルの背面には前記ロッカーの支持棒を案内する案内リブが形成される。
【００５３】
前記ベースパネルには表示部がさらに備えられる、前記表示部は、ベースパネルの背面に締結されるハウジングと、前記ハウジングの内部に設置され、光を発光する光源と、前記ハウジングの内部に収容される基板上に設置され、前記ベースパネルの背面に装着され、前記光源の光を伝達する光伝達体と、前記基板上に設置され、前記光源から発光した光を前記光伝達体に案内する光案内体と、前記光伝達体上に設置され、前記ベースパネルの前面に露出され、ベースパネルの前方に光を提供する発光部とを含む。
【００５４】
前記光案内体は、内部に光案内孔が形成され、その出口が前記光伝達体に密着するボディと、前記ボディに一体に形成され、先端部にフックを備え、弾性によって基板上に装着される装着レグとを含む。
【００５５】
前記光源は前記光伝達体の両端にそれぞれ設置されるもので、光の３原色とこれらの組合せで多数の色を形成して、前記発光部で表示するようにする。
【００５６】
一方、上記目的を達成するための本発明のまた他の形態によれば、内部に構成部品が設置される外部ケースと、前記外部ケースの前方に設置される前面パネルと、前記前面パネルに設置され、空気調和が要求される空間の空気を内部に吸入できるように開閉可能なグリルルーバと、前記前面パネルを通過する空気を浄化するように前記グリルルーバの後方に設置され、前記前面パネルの表面に沿って上下に移動して着脱されるフィルタと、前記外部ケースの左右、及び下側面に備えられ、前記グリルルーバの開放時に内部に吸入され熱交換された空気を前記空気調和が要求される空間に吐き出す吐出ユニットとを含むことを特徴とする。
【００５７】
ここで、前記フィルタは、所定の形状の吸入フィルタフレームの内部に空気調和のための空間で空気調和器の内部に流動する空気を通過させながら塵を濾すフィルタ部を備えた吸入フィルタ部と、前記吸入フィルタフレームに一体に設置され、前記空気中の匂いを濾す脱臭フィルタ部とを含む。
【００５８】
前記脱臭フィルタ部は、前記吸入フィルタフレームに一体に形成された後方フレームと、前記後方フレームに着脱可能に設置され、後方フレームとの間に所定の空間を形成する前方フレームと、前記前方フレームと後方フレームとの間に設置され、脱臭作用をする脱臭部とを含む。
【００５９】
前記前方フレームと後方フレームとの組立構造は、前記前方フレームと後方フレームの両端に突出して形成され、互いに結合する結合凹溝と、結合突起を選択的に備える前、後方結合突片と、前記前方フレームと後方フレームにそれぞれ選択的に形成され、互いに締結される結合切欠部と、結合片とをさらに含む。
【００６０】
前記フィルタは、前記前面パネルに形成された吸入通孔部に設置されるが、前記吸入通孔部には通孔フレームが格子状に備えられ、前記フィルタを支持する。
【００６１】
前記吸入フィルタフレームの上端には前面パネルへの設置のためのハンギング突起がそれぞれ備えられ、前記吸入フィルタフレームの下端には着脱のための取っ手が備えられることを特徴とする。
【００６２】
前記前面パネルの吸入通孔部の両端に沿っては前記フィルタの両端をガイドし、かつ支持するフィルタ収容端が備えられ、前記フィルタの上端及び下端に対応する位置に形成され、前記フィルタの一方が挿入され引っ掛かるようにするハンギング部がさらに備えられることを特徴とする。
【００６３】
前記フィルタの取っ手と、前記前面パネルの前面の下端に設置されるベースパネルとの干渉を防止するために、前記ベースパネルの内側の上端に干渉防止部がさらに備えられる。
【００６４】
一方、上記目的を達成するための本発明のまた他の形態によれば、内部に構成部品が設置される外部ケースと、前記外部ケースの前方に設置される前面パネルと、前記前面パネルに設置され、空気調和が要求される空間の空気を内部に吸入できるように開閉可能なグリルルーバと、前記グリルルーバを空気調和器の動作状態に応じて開閉するグリルルーバ駆動部と、前記外部ケースの左右、及び下側面に備えられ、前記グリルルーバの開放時に内部に吸入され熱交換された空気を前記空気調和が要求される空間に吐き出す吐出ユニットとを含むことを特徴とする。
【００６５】
この際、前記グリルルーバ駆動部は、前記グリルルーバの駆動のための駆動力を提供するモータと、前記モータが装着され、前記前面パネルに設置され、内部に収容空間を備えるギアハウジングと、前記ギアハウジングに設置され、前記モータを駆動させる駆動ギアと、前記ギアハウジングの収容空間に収容され、前記駆動ギアの駆動力が伝達され動作するラックギアバーと、前記ギアハウジングに設置され、前記ラックギアバーと噛み合わされ前記モータの駆動力を前記グリルルーバに伝達する従動ギアとを含む。
【００６６】
前記従動ギアは、一部分にのみ歯が形成される円弧ギアである。
【００６７】
一方、上記目的を達成するための本発明のまた他の形態によれば、内部に構成部品が設置される外部ケースと、前記外部ケースの前方に設置される前面パネルと、前記前面パネルに設置され、空気調和が要求される空間の空気を内部に吸入できるように開閉可能なグリルルーバと、前記グリルルーバの開放時に吸入され熱交換された空気を吐出ユニットに案内するよう外部ケースの内部に設置される吐出ガイドと、前記前面パネルを通過する空気を浄化するように前記グリルルーバの後方に設置され、前記前面パネルの表面に沿って上下に移動して着脱されるフィルタと、前記グリルルーバの下部に前記前面パネルに沿って昇降可能に設置され、前記グリルルーバの後方に設置されるフィルタの着脱のための接近路として使われるベースパネルと、前記外部ケースの左右、及び下側面に備えられ、前記グリルルーバの開放時に内部に吸入され熱交換された空気を、前記空気調和が要求される空間に吐き出す吐出ユニットとを含むことを特徴とする。
【００６８】
前記グリルルーバの自動開閉のためのグリルルーバ駆動部が追加的に設置され、前記グリルルーバ駆動部は、前記グリルルーバの駆動のための駆動力を提供するモータと、前記モータが装着され、前記前面パネルに設置され、内部に収容空間を備えるギアハウジングと、前記ギアハウジングに設置され、前記モータを駆動させる駆動ギアと、前記ギアハウジングの収容空間に収容され、前記駆動ギアの駆動力が伝達され動作するラックギアバーと、前記ギアハウジングに設置され、前記ラックギアバーと噛み合わされ前記モータの駆動力を前記グリルルーバに伝達する従動ギアとを含む。
【発明の効果】
【００６９】
本発明に従った空気調和器の室内機によれば、室内機から吐き出される空気と、室内機に吸入される空気とが確実に分離され流動し、より迅速に空気調和が行われるし、室内機の内部への外部異物質の浸透が防止され、外観がきれいになる利点がある。
【発明を実施するための最良の形態】
【００７０】
以下、本発明による空気調和器の室内機の実施形態を添付の図面に基づいて詳細に説明する。
【００７１】
まず、図３及び図４に示すように、本実施形態の室内機の外観を外部ケース２０が形成する。外部ケース２０は平たい六面体の形状を有する。そして、外部ケース２０の前面には前面パネル３１が設置され、外部ケース２０の内部に形成される空間を遮蔽する。
【００７２】
前面パネル３１の詳細な構成は特に図５によく示されており、これによれば、パネルボディ３２は大略四角形に形成され、その中央に四角形の吸入通孔部３３が形成される。吸入通孔部３３は、空気調和のための空間の空気が外部ケース２０の内部に吸入される通路の役割を果たす。
【００７３】
このような吸入通孔部３３には、後述するフィルタ４５の支持のための通孔フレーム３３′が格子状に形成される。
【００７４】
前面パネルボディ３２の両端には、それぞれ上部から下部に向かって長くデコパネル３４が備えられる。デコパネル３４は、前面パネルボディ３２の両端で前面パネルボディ３２に比べて相対的に前面に突出する。
【００７５】
両側のデコパネル３４が互いに向き合う内側面の下端部には、後述するベースパネル５０の昇降を案内するための構成が備えられる。
【００７６】
即ち、図７に示すように、デコパネル３４の一方面に連続する前面パネル３１の側面に沿ってはガイドスロット３４ｇが長く形成される。ガイドスロット３４ｇに沿っては、図８に示すベースパネル５０のガイドピン５４が案内される。
【００７７】
また、ガイドスロット３４ｇと隣接してはベースパネル５０の昇降を案内するガイド３４′がガイドスロット３４ｇと並列に突出して形成される。
【００７８】
そして、ガイドスロット３４ｇの上端と下端に対応する前面パネルボディ３２にはそれぞれ突起３４ｔが形成される。突起３４ｔは、ベースパネル５０が前面パネル３１から勝手に下降しないように固定する役割を果たす。このような係止突起３４ｔは、両端のデコパネル３４と対応する位置にそれぞれ形成される。
【００７９】
一方、図３及び図４に示すように、前面パネル３１には吸入部４０が形成される。吸入部４０は、空気調和のための空間の空気を室内機の内部に吸入する通路の役割を果たす。
【００８０】
このような吸入部４０には多数個のグリルルーバ４２が設置される。グリルルーバ４２は、外部ケース２０を正面から見て前面パネル３１に左右に長く設置され、それぞれ上下に多数個が配置される。そして、グリルルーバ４２は、空調作用のための開放時にその下端部を中心に回転し、その先端が外部ケース２０の前方の上部に向かうように開放される。
【００８１】
図３にグリルルーバ４２が開放された状態がよく示される。
【００８２】
そして、空気調和器の非動作時には、グリルルーバ４２は、前面パネル３１の吸入部４０を閉鎖して外部と連通しないようにする。吸入部４０の内部には、吸入部４０を介して流入する空気を浄化するためのフィルタ４５が設置される。
【００８３】
ここで、図３では吸入部４０、及び吸入通孔部３３の番号を記入するためフィルタ４５のフィルタ部４６ｆの図示が省略されている。
【００８４】
次に、吸入通孔部３３の周縁に沿ってはフィルタ４５を装着するための構成が備えられる。
【００８５】
まず、図５に示すように、吸入通孔部３３の両端にはフィルタ４５の両端が案内され支持されるフィルタ収容端３５が長く形成されている。
【００８６】
このようなフィルタ収容端３５は周辺と段差を有するように形成される。
【００８７】
そして、吸入通孔部３３の上、下端には、フィルタ４５の上端及び下端を掛けるためのハンギングスロット３６とハンギング突起３６′とがそれぞれ形成される。
【００８８】
次に、フィルタ収容端３５の外側にはルーバ収容端３７がそれぞれ形成され、ルーバ収容端３７の面上にはグリルルーバ４２が閉まるときに各々のグリルルーバ４２の先端を支持するための支持突起３７′が形成される。ルーバ収容端３７は、フィルタ収容端３５に対して段差を有して形成され、その段差によってフィルタ４５の挿入空間が備えられる。
【００８９】
一方、グリルルーバ４２は、閉まったときにその表面が段差なしにデコパネル３４と連続する平面をなすように設置されることが好ましい。
【００９０】
そして、ルーバ収容端３７と隣接した前面パネルボディ３２の内側面には、グリルルーバ４２の駆動中心となるヒンジ（hinge）が貫通するヒンジ孔３８がそれぞれ形成される。したがって、ヒンジ孔３８を介してはグリルルーバ４２のヒンジ軸４３が貫通して設置される。
【００９１】
一方、前面パネル３１の吸入通孔部３３に設置されるフィルタ４５の構成を図６に基づいて説明する。
【００９２】
フィルタ４５には大別して吸入フィルタフレーム４６と、脱臭フィルタフレーム４７とが備えられる。
【００９３】
まず、吸入フィルタフレーム４６の構成を説明すると、吸入フィルタフレーム４６は格子状に形成され、各格子の内部には塵を越すフィルタ部４６ｆが備えられる。フィルタ部４６ｆは所定のメッシュを有し、メッシュでより大きい塵が濾される。
【００９４】
ここで、吸入フィルタフレーム４６の格子状と、前面パネル３１の通孔フレーム３３′の格子状は、図６に示すように、一定の部分が一致するように構成され、図３に示すように、フィルタ４５が吸入通孔部３３に設置されたとき互いに干渉する部分が最小化する。
【００９５】
このような吸入フィルタフレーム４６の上端には、ハンギングスロット３６に挟まれるハンギング突起４６′が形成されており、下端にはフィルタ４５を容易に取り扱うための取っ手４９が形成されている。
【００９６】
次に、吸入フィルタフレーム４６には脱臭フィルタフレーム４７が一体に備えられる。より詳細には、脱臭フィルタフレーム４７を構成する後方フレーム４７ｂが吸入フィルタフレーム４６に一体に形成される。
【００９７】
脱臭フィルタフレーム４７は、後方フレーム４７ｂに前方フレーム４７ｔが着脱可能に設置され、後方フレーム４７ｂと、前方フレーム４７ｔとの間には脱臭部４７ｆが位置する。ここで、後方フレーム４７ｂは長方形に形成され、大略格子状を有するが、前方フレーム４７ｔとの間に所定の空間を形成して脱臭部４７ｆが収納されるようにする。
【００９８】
後方フレーム４７ｂの両端の上下にはそれぞれ後方結合突片４７ｓが形成されるが、後方結合突片４７ｓには結合凹溝４７ｈが形成されている。
【００９９】
そして、後方フレーム４７ｂの上下端の中央にはそれぞれ結合切欠部４７ｍが形成される。脱臭部４７ｆは匂いを除去する機能を有し、このために酸化チタニウム処理をする。このような脱臭部４７ｆは後方フレーム４７ｂと、前方フレーム４７ｔとの間の空間に位置する。
【０１００】
そして、前方フレーム４７ｔは、後方フレーム４７ｂと対応する形状及び大きさを有し、後方結合突片４７ｓと対応する位置に前方結合突片４７ｓ′が形成され、前方結合突片４７ｓ′には結合凹溝４７ｈに挿入される結合突起４７ｈ′が形成される。
【０１０１】
勿論、前後方結合突片４７ｓ、４７ｓ′にはそれぞれ結合凹溝と、結合突起が形成されえる。
【０１０２】
後方フレーム４７ｂの結合切欠部４７ｍと対応する位置には結合片４７ｃが形成される。このような結合片４７ｃは結合切欠部４７ｍに押し入れられ、後方フレーム４７ｂと前方フレーム４７ｔとを結合させる。
【０１０３】
一方、取っ手４９は、最下端のグリルルーバ４２の下部に位置し、ベースパネル５０によって遮蔽される。
【０１０４】
最下端のグリルルーバ４２の下部にはベースパネル５０が設置される。ベースパネル５０は、デコパネル３４の間に沿って前面パネル３１の上下に昇降する。
【０１０５】
ベースパネル５０の前面の中央には空気調和器の動作状態を表示するための表示窓５１が備えられる。そして、ベースパネル５０の後面には、図８に示すように、ベースパネル５０の強度を補強するための補強リブ５２が周縁を囲み、突出して形成されている。
【０１０６】
補強リブ５２の上部側の中央には、フィルタ４５の取っ手４９との干渉を防止するための干渉防止部５３が凹んでいる。したがって、ベースパネル５０が前面パネル３１の定位置に装着されたとき、干渉防止部５３には吸入フィルタフレーム４６の取っ手４９が収容される。
【０１０７】
一方、ベースパネル５０の昇降を案内するために、補強リブ５２の両側の上端部にはガイドピン５４が突出して形成される。
【０１０８】
ガイドピン５４は、図７に示すガイドスロット３４ｇに沿って移動する。
【０１０９】
そして、補強リブ５２の両端にはそれぞれガイド５５が所定の間隔をおいて一対に長く形成される。この際、両側ガイド５５によって形成されるガイド溝５５′の幅は、図７に示すガイド３４′の幅と対応して形成される。
【０１１０】
このようなガイド５５は、先端部に行くほど両側ガイド間の距離が遠ざかるように形成して、ガイド溝５５′の幅が広がるようにすることで、ガイド３４′がより容易にガイド５５間のガイド溝５５′に挿入されるようにする。
【０１１１】
そして、前面パネル３１にはベースパネル５０の下降時にベースパネル５０が垂れたり回転することを防止するために支持するロッカー６０が設置される。
【０１１２】
ロッカー６０の構造とその装着構造を図９に基づいて説明する。
【０１１３】
ロッカー６０は円板状の収容ボディ６１を備え、収容ボディ６１の前方には支持棒６２が突出して形成される。支持棒６２は、ベースパネル５０の下降時にベースパネル５０の上側の補強リブ５２に当接し、これを支持する。
【０１１４】
収容ボディ６１の周縁には多数個の締結翼６３が形成される。締結翼６３は収容ボディ６１に連結され、収容ボディ６１の周縁に沿って延長形成されるもので、その先端にはフック６４がそれぞれ形成される。
【０１１５】
このような締結翼６３は、収容ボディ６１とは異なり、薄くて弾性力を有する。
【０１１６】
フック６４は、支持棒６２と反対方向に突出して形成される。そして、ロッカー６０を前面パネル３１に装着するためのロッカー装着部７０が前面パネル３１の背面の下端部に形成される。即ち、ベースパネル５０が収容される前面パネル３１の背面の下端部の両側には、内部に収容空間７２が形成されるガイドリブ７１が環形に形成される。
【０１１７】
収容空間７２の内部には収容ボディ６１が収容される。収容空間７２の中央には前面パネル３１の前面に貫通して通孔７３がパンチされる。
【０１１８】
通孔７３を介しては支持棒６２が前面パネル３１の前面に突出する。そして、ガイドリブ７１の内面に沿って収容空間７２には締結翼６３と対応する個数のロッキングリブ７４が形成される。ロッキングリブ７４の後面にはロッカー６０のフック６４がはめ込まれる。
【０１１９】
即ち、ロッカー６０のフック６４は、ロッキングリブ７４の後面と収容空間７２の内面の間のギャップを介して入り、はめ込まれる。
【０１２０】
ベースパネル５０の前面の中央には空気調和器の動作状態を表示するための表示窓５１が備えられ、前面の後方には表示部８０が備えられる。
【０１２１】
表示窓５１及び表示部８０の構成を図３、図１０、及び図１１に基づいて説明する。
【０１２２】
まず、ベースパネル５０の前面の中央には表示窓５１が形成される。表示窓５１は、ベースパネル５０を貫通して形成される。そして、ベースパネル５０の背面の表示窓５１の両端に当たる部分には、後述するハウジング８１の締結のための締結リブ５７が形成される。
【０１２３】
そして、ベースパネル５０の背面には光伝達体８３が装着される。光伝達体８３は、ハウジング８１がベースパネル５０に装着されたとき、基板８２上に左右に長く位置し、融着部５６によってベースパネル５０に装着される。
【０１２４】
光伝達体８３の前面、つまり、表示窓５１と対応する部分には、表示窓５１の内部に収容され、ベースパネル５０の前方に光を発散する発光部８４が設置される。発光部８４は、光伝達体８３と一体に形成される。
【０１２５】
このような光伝達体８３と発光部８４は、光を効率的に伝達する特徴を有する光学材質で形成される。
【０１２６】
一方、ベースパネル５０の背面の後方には表示部８０が備えられる。この際、表示部８０の外観をハウジング８１が形成する。ハウジング８１はその一面が開放され、開放された部分がベースパネル５０の背面に固定される。
【０１２７】
このようなハウジング８１の両端には締結のための締結片８１′がそれぞれ形成される。ハウジング８１の内部には基板８２が設置される。
【０１２８】
基板８２には光源８６のＬＥＤに電源を供給し、その動作を制御するための各種の素子と部品が設置される。
【０１２９】
一方、ハウジング８１内の基板８２の両端部には光案内体９０が設置される。
【０１３０】
光案内体９０は、光伝達体８３に光源８６から発光した光を案内する役割を果たす。このような光案内体９０の構成は図１１によく示されている。
【０１３１】
光案内体９０は、円筒状のボディ９１の内部に光案内孔９２が形成される。光案内孔９２は、光源から発光する光を集めて光伝達体８３に案内する役割を果たす。このような光案内孔９２には光源が収容される。
【０１３２】
ボディ９１の両端には装着レグ９４が形成されており、装着レグ９４の下端にはそれぞれフック９５が形成される。
【０１３３】
装着レグ９４は、その形状の特性上、弾性変形可能な構造であり、装着レグ９４のフック９５は基板８２に形成された締結孔８２′を介して基板８２の下面に引っ掛かる。即ち、光案内体９０の装着レグ９４を基板８２に形成された締結孔８２′に一致させた状態で押し入れると、装着レグ９４が締結孔８２′を介して挿入された後、元の位置に復元することで、装着レグの先端のフック９５（図１１参照）が基板８２の背面に掛り、光案内体９０が固定される。
【０１３４】
そして、ボディ９１の後端の両側にはボディの軸方向に沿って後方に長く延長形成された支持片９６がそれぞれ備えられており、支持片９６は、基板８２の上面に密着して、光案内体９０が安定的に支持されるようにする。
【０１３５】
一方、基板８２に搭載される光源８６として、例えば、ＬＥＤが使用可能であり、光の発光部分が光案内孔９２の内部に収容されるように設置される。
【０１３６】
次に、グリルルーバ４２を駆動させるための構成を図１２乃至図１４に基づいて説明する。
【０１３７】
グリルルーバ４２を駆動させるための構成は、前面パネル３１の背面に装着される。即ち、図１２に示すように、グリルルーバ４２を駆動させるための駆動力を提供するモータ１００は、動力伝達部１１０を構成するギアハウジング１１１内の駆動ギアに連結され、ギアハウジングは、前面パネル３１の左右側の後方に装着される。
【０１３８】
モータ１００には、図１３に示すように、その回転力を伝達する回転軸１０１が一端部を介して突出しており、両端にギアハウジング１１１への締結のための締結片１０２が備えられる。
【０１３９】
締結片１０２にはネジ締結のための締結孔１０３がそれぞれ形成されている。そして、動力伝達部１１０が前面パネル３１の正面から見てデコパネル３４が備えられる前面パネル３１の背面に装着される。動力伝達部１１０は、ギアハウジング１１１の内部に多数個のギアが位置して構成される。
【０１４０】
ギアハウジング１１１は、その内部に後述するラックギアバー１１４が収容される収容空間１１１ｓが内部に長く一方に開口して形成され、収容空間１１１ｓの開口した部分には、ラックギアバー１１４との連動のためのギア１１２，１１７を収容するための構成がそれぞれ備えられる。
【０１４１】
即ち、ギアハウジング１１１の一方面の左右両側には支持孔１１１ｈが形成され、支持孔１１１ｈが形成された一方面に向き合う他方面の上端には、一方が開放されたガイド部１１１ｇが備えられる。
【０１４２】
そして、駆動ギア１１２を支持するための他の支持孔１１１ｈがモータ１００が装着されるギアハウジング１１１の中央部の他方面に形成される。
【０１４３】
ギアハウジング１１１の中央部の内側には駆動ギア１１２が設置される。
【０１４４】
駆動ギア１１２は、モータ１００の回転軸１０１に連結されたもので、モータ１００によって回転させられる。このような駆動ギア１１２は、回転軸１０１との連結のための連結軸１１３が一端部に備えられ、他端部には図１２に示すように、ギアハウジング１１１の他方面の中央部に形成された支持孔１１１ｈに挿入され支持される支持突起１１２′が形成されている。
【０１４５】
したがって、駆動ギア１１２は、支持突起１１２′が支持孔１１１ｈに支持され、連結軸１１３がモータ１００の回転軸１０１に連結されて設置される。
【０１４６】
ギアハウジング１１１の収容空間１１１ｓには長手方向に長くラックギアバー１１４が設置される。ラックギアバー１１４には多数個のラックギア部が形成されるが、まず、駆動ギア１１２と噛み合わさる駆動ラックギア部１１５がその中間に備えられる。そして、ラックギアバー１１４の両端部にはそれぞれ従動ラックギア部１１６が形成される。
【０１４７】
一方、従動ラックギア部１１６にはそれぞれ従動ギア１１７が噛み合わされ、従動ギア１１７は、ギアハウジング１１１に回転可能に設置される。従動ギア１１７は、その一部分にのみギア歯が形成された円弧ギアの形態である。そして、従動ギア１１７にはヒンジ孔３８に向かって連結軸１１８が延長形成されている。
【０１４８】
このような連結軸１１８にはグリルルーバ４２のヒンジ軸４３が挟まれる。そして、連結軸１１８の一方に形成された支持突起１１８′は、ギアハウジング１１１の一方面の左右側にそれぞれ形成された支持孔１１１ｈに挿入され支持される。
【０１４９】
また、ギアハウジング１１１のガイド部１１１ｇには連結軸１１８の支持突起１１８′の反対側の端部が収容される。
【０１５０】
一方、ギアハウジング１１１の一方面のモータ収容位置の左右側には、ギアハウジング１１１を前面パネル１１１に装着する装着用ブラケット１１１ｍが備えられ、装着用ブラケット１１１ｍの面上には装着ホール１１１ｍ′が形成されている。
【０１５１】
一方、本実施形態では、ラックギアバー１１４によって２つの従動ギアが駆動するようにしているが、これに限定されず、さらに多数のグリルルーバ４２を同時に駆動させることもできる。
【０１５２】
このためには、ラックギアバー１１４に従動ラックギア部１１６をグリルルーバの数に合わせて形成し、従動ギア１１７の数をこれに合わせて増やす。
【０１５３】
次に、図１５に示すように、外部ケース２０の内部空間にはオリフィス１２０が設置される。オリフィス１２０は、その中央にオリフィス孔１２２が形成され、後述するターボファン１５４に吸入部４０を介して吸入された空気を案内する。
【０１５４】
このようなオリフィス１２０の構成を図１６に基づいて説明する。図示したように、オリフィス１２０は正面から見て大略長方形の板である。オリフィス１２０の中央にはオリフィス孔１２２が形成される。オリフィス孔１２２は、熱交換機１３０で熱交換され生成された冷気を、後述するターボファン１５４に案内する通路の役割を果たす。
【０１５５】
次に、オリフィス１２０の一面には熱交換機１３０が収容される部分が形成される。即ち、後述する熱交換機１３０の周縁が内部に収容されるように収容リブ１２３が突出して形成される。ここで、収容リブ１２３は、熱交換機１３０の形状によって異なるように形成されるが、本実施形態では四角形の熱交換機１３０に対応するように収容リブ１２３がオリフィス孔１２２の周辺に四角形をなすように突出して形成される。
【０１５６】
一方、収容リブ１２３のうち、図１６を基準に熱交換機１３０の両端が内側に収容される収容リブ１２３の外側には、補助収容リブ１２４がそれぞれ並列に一定の間隔をおいて形成される。補助収容リブ１２４は収容リブ１２３より少し突出する。
【０１５７】
次いで、補助収容リブ１２４の上端にはそれぞれ締結リブ１２５が形成される。締結リブ１２５は、後述する熱交換機１３０のチャンネル（厚板）１３４に形成された締結片１３５がスクリュー１３８によって締結される部分である。
【０１５８】
そして、オリフィス１２０の両側の下端には支持台１２６がそれぞれ形成されている。支持台１２６には熱交換機１３０のハンギング片１３７が掛けられて支持される。
【０１５９】
熱交換機１３０が収容される両側には吐出ガイド部１２７が形成される。
【０１６０】
吐出ガイド部１２７の背面はターボファン１５４で吐出口に向かう冷気を案内する役割を果たす。このような吐出ガイド部１２７にはオリフィスボディの捩れを防止するための補強リブ１２７′が上下に長く形成される。
【０１６１】
次に、オリフィスボディの上端には部品収容部１２８が形成される。部品収容部１２８には、例えばコントロールボックスなどが収容される。このような部品収容部１２８にも補強リブ１２８′が長く形成され、オリフィス１２０の捩れを防止する。
【０１６２】
図面符号１２９は電源線を整理するためのハンガである。オリフィス１２０とフィルタ４５の間には熱交換機１３０が設置される。
【０１６３】
熱交換機１３０は、熱交換サイクルの冷媒が内部を介して流動し、吸入部４０を介して吸入された空気が通過しながら冷媒と熱交換して、相対的に低温の冷気になるようにする。かかる熱交換機１３０は、図１６に示すように、ジグザグに多数回折り曲げられ、内部に熱交換サイクルの冷媒が流動する冷媒パイプ１３１に多数個の放熱ピン１３２が挿入され形成されるもので、その両端部にチャンネル１３４が長く設置され、冷媒パイプ１３１を支持して形状を維持する。
【０１６４】
チャンネル１３４は、補助収容リブ１２４、及びこれと並列した収容リブ１２３に固定されて設置される。このために、チャンネル１３４は多数回折り曲げられ、その側端部が補助収容リブ１２４を経てオリフィスボディ上に密着する。
【０１６５】
チャンネル１３４の上端部にはそれぞれ締結片１３５が形成される。締結片１３５は、スクリュー１３８によって締結リブ１２５に締結される部分である。このような締結片１３５にはそれぞれ締結孔１３５′が形成されている。そして、チャンネル１３４の下端部にはそれぞれハンギング片１３７が形成されている。このようなハンギング片１３７は、図１７に示すように、支持台１２６の後方に掛り、熱交換機１３０を支持する。
【０１６６】
このような熱交換機１３０は、全体的に平たい六面体で形成され、オリフィス１２０の収容リブ１２３に収容されて設置される。しかし、熱交換機１３０が必ず六面体からなる必要はなく、設計条件に従い異なって構成される。
【０１６７】
そして、これによって収容リブ１２３の形態も異なって形成される。
【０１６８】
再び図１５の説明に戻り、オリフィス１２０の後方に当たる外部ケース２０の内側の中央にはモータ１５０が装着される。モータ１５０は、モータブラケット１５２によって外部ケース２０に固定される。
【０１６９】
そして、モータ１５０の回転軸１５１にはターボファン１５４が設置される。ターボファン１５４は、その先端から空気が吸入され、側方向に吐き出されるようにする。即ち、空気は回転軸１５１の前端から後端方向に吸入され、ターボファン１５４の円心方向に吐き出される。
【０１７０】
外部ケース２０の内部の上側には制御部１４０が設置される。制御部１４０は室内機の動作を制御する部分で、例えば室内機の動作のための各種の感知データと、既設定されたデータとを比較してモータ１５０の動作を制御し、室外機にも作動のための制御信号を送る。
【０１７１】
次に、図１８及び図１９に基づき排出器２５０について説明する。
【０１７２】
熱交換機１３０で発生する凝縮水を集めて排水するために、熱交換機１３０の下部側に排出器２５０が設置される。この際、排出器２５０は、外部ケース２０の下端部の締結リブ２７ｒに締結された状態で熱交換機１３０の下部に位置する。排出器２５０は、熱交換機１３０の下端の形状に対応するよう、前後幅が狭い代わりに左右が長く形成され、熱交換機１３０の下部に位置する排出器部分２５１が備えられる。
【０１７３】
排出器部分２５１は、熱交換機１３０で発生して落下する凝縮水を集める部分で、熱交換機１３０の厚さより厚い前後方向の幅を有し、熱交換機１３０の左右方向の長さよりやや長く形成される。
【０１７４】
排出器部分２５１の両端にはそれぞれ排水口２５３が形成されている。このような排水口２５３には排水ホース（図示せず）が選択的に設置され、排出器部分２５１に集まった凝縮水を排水する。
【０１７５】
このように排水口２５３を両側に形成することは、室内機の設置環境に合わせて適切に排水ホースが連結される排水口２５３を選択できるようにするためである。勿論、排水ホースが連結されない排水口２５３は、別の構成で閉鎖されるようにする。
【０１７６】
一方、排出器部分２５１にはパイプ収容部２５５が一体に形成されている。パイプ収容部２５５は、排出器部分２５１の下部に延長され、その内部には室内機の内部のパイプや電源線などが収容される。
【０１７７】
このようなパイプ収容部２５５の両端には外部ケース２０に形成された締結リブ２７ｒに排出器２５０を締結するための締結孔２５６が形成される。締結孔２５６を介してスクリュー（図示せず）が貫通し、締結リブ２７ｒに締結される。
【０１７８】
そして、パイプ収容部２５５の前方を遮蔽するようにパイプカバー２５７が別に備えられ、パイプカバー２５７の両端には外部ケース２０に形成された締結リブ２７ｒ′との締結のための締結片２５８が形成されている。
【０１７９】
次に、外部ケース２０には多数個の吐出ユニット１６０が設置される。吐出ユニット１６０は、室内機を正面から見て外部ケース２０の左右側面、及び下面にそれぞれ長く形成される。ここで、吐出ユニット１６０が設置される外部ケース２０の内部構成を図２０に基づいて説明する。
【０１８０】
外部ケース２０は、長方形の平板のベース面２１と、ベース面２１の周縁で大略直角方向に形成された側面２２とで構成される。
【０１８１】
側面２２の深さは、ベース面２１の４辺の長さに比べ相対的に非常に短くなり、外部ケース２０が全体的に平たい六面体形状をなす。外部ケース２０の両側面２２と下側面２２に沿っては吐出ユニット収容空間２３が長く形成される。吐出ユニット収容空間２３は、後述する吐出グリル１６１が収容される部分である。
【０１８２】
このような吐出ユニット収容空間２３の周辺には吐出グリル１６１の固定のための各種の構成が備えられる。吐出ユニット収容空間２３の底には多数個の補強突起２４が形成される。補強突起２４は、吐出ユニット収容空間２３の底面の強度を補強する役割を果たし、吐出グリル１６１の下面を支持する。
【０１８３】
そして、吐出ユニット収容空間２３に隣り合う側面２２の内側の上端には第１ハンギング突起２５が形成される。第１ハンギング突起２５は、側面２２との間に所定のギャップがあり、吐出グリル１６１の第１ハンギング片１６２がギャップを介して挿入され掛る。
【０１８４】
そして、第１ハンギング突起２５が形成された反対側には第２ハンギング突起２５′が形成される。第２ハンギング突起２５′には吐出グリル１６１の第２ハンギング片１６２′が掛る。
【０１８５】
一方、補強突起２４が形成された内側、つまり、ベース面２１の周縁に沿っては収容溝２６が長く形成される。収容溝２６には吐出グリル１６１の収容台１６３が収容される。このような収容溝２６を介して電源線などを通過させることができる。
【０１８６】
収容溝２６の一方、つまり、第１ハンギング突起２５の側にはフック２７が形成され、反対側にはネジ締結突起２８（図面上左側の吐出ユニット収容空間２３に形成されたネジ締結突起は、図面の方向上吐出ガイド１７０に遮られ図示せず）が形成され、吐出グリル１６１の収容台１６３に形成されたフックスロット１６４と、締結孔１６４′とが締結される。
即ち、吐出グリル１６１の一方は、収容台１６３の一方に形成されたフックスロット１６４がフック２７に掛って固定され、他方は、他方の端部に形成された締結孔１６４′を貫通するネジがネジ締結突起２８に締結され固定される。
【０１８７】
このような吐出ユニット収容空間２３の周辺の構成は、左右、及び下部に形成されている吐出ユニット収容空間２３に対して同一である。したがって、それぞれの吐出ユニット収容空間２３には同一の構成の吐出グリル１６１を収容し得るので、吐出グリル１６１を一つの形態で生産可能である。
【０１８８】
次に、吐出ユニット１６０の構成を説明する。
【０１８９】
吐出ユニット１６０はそのフレームを吐出グリル１６１が形成する。吐出グリル１６１の内部には吐出口１６１′が形成され、室内機の内部で熱交換された空気が空気調和のための空間に吐き出される通路となる。
【０１９０】
吐出グリル１６１にはそれぞれ吐出ユニット収容空間２３への固定のための構成が備えられる。まず、第１ハンギング突起２５と対応する位置に第１ハンギング片１６２が突出し、第２ハンギング突起２５′と対応する位置には第２ハンギング片１６２′が突出して形成される。
【０１９１】
そして、吐出グリル１６１の下端には収容台１６３が吐出グリル１６１の長手方向に長く形成される。このような収容台１６３は、収容溝２６に収容される。この際、収容台１６３は下部に開口された形態であって、収容溝２６への収容時にその間に空間部が形成され、空間部を介して電源線などが通過できるようにする。
【０１９２】
収容台１６３の一端部にはハンギングフック２７が掛るフックスロット１６４が形成され、他端部にはネジ締結突起２８に締結されるネジ（図示せず）が貫通する締結孔１６４′が形成されることは上述した通りである。
【０１９３】
吐出グリル１６１の吐出口１６１′の先端には吐出ルーバ１６６が設置される。吐出ルーバ１６６は吐出口１６１′を選択的に開閉するもので、別途の駆動源によって駆動する。このような吐出ルーバ１６６は、図２１に示すように、吐出口１６１′と対応する板状のルーバボディ１６６′の内面が吐出口１６１′を介して吐き出される空気を案内する。
【０１９４】
内面は空気吐出方向を基準にするとき、上流側から下流側に向かって所定の曲率を有して形成され、空気を案内する。
【０１９５】
そして、ルーバボディ１６６′の内面は所定の曲率で形成されるが、外面の先端部側の一定の領域は曲面ではない平面で形成される（以下、この平面部分を先端平面部１６６"という）。したがって、先端平面部１６６"と、外面が隣接する部分は相対的に厚くなる。このような先端平面部１６６"はルーバボディ１６６′の強度を補強する役割を果たす。即ち、ルーバボディ１６６′に後述する吐出ベイン１６９が一体に形成されなくとも先端平面部１６６"の存在によって所定の強度を維持できる。
【０１９６】
ルーバボディ１６６′の両端にはそれぞれヒンジ板１６７′が突出して形成され、ヒンジ板１６７′にはヒンジ軸１６７がそれぞれ形成される。
【０１９７】
ヒンジ軸１６７のうち一方は吐出ルーバ１６６の駆動のためのモータに連結される。
【０１９８】
次に、吐出ルーバ１６６の他の実施形態が図２２に示されており、これによれば、ルーバボディ１６６′の外面の上流部に閉塞部１６８が形成される。閉塞部１６８は、吐出ルーバ１６６が回転して吐出口１６１′が開放されたとき、外面と吐出口１６１′の一側壁とが向かい合う間の空間を埋める役割を果たす。したがって、吐出口１６１′を通過した空気がこの部分を通じて漏洩する現象が防止される。
【０１９９】
一方、吐出グリル１６１の吐出口１６１′には多数個の吐出ベイン１６９が形成される。吐出ベイン１６９は、吐出口１６１′全体に一定の間隔で設置され、空気が吐出口１６１′全体を介して均一に吐き出されるようにする。
【０２００】
また、吐出ベイン１６９は、吐出口１６１′の一端部の方向に所定の傾斜を有して形成され、空気が一定の方向性を有して吐き出されるようにする。
【０２０１】
再び、図２０の説明に戻り、外部ケース２０にはターボファン１５４から吐き出された空気を案内する構成が備えられる。
【０２０２】
まず、外部ケース２０に一体に吐出ガイド１７０が形成される。吐出ガイド１７０はベース面２１に突出して形成されるもので、ベース面２１の下端の両側に形成され、それぞれ外部ケース２０の両側面と下側面に設置される吐出ユニット１６０に空気を案内する。吐出ガイド１７０の上面には空気調和器を構成する部品として、電源と制御信号を供給するためのリードワイヤが通過するリードワイヤ溝１７１がそれぞれ凹んで形成される。
【０２０３】
外部ケース２０のベース面２１の上端には、図２０及び図２３に示すように分離型吐出ガイド１７２が設置される。分離型吐出ガイド１７２は、外部ケース２０の内側の上端の全体にかけて設置され、ターボファン１５４から吐き出される空気を外部ケース２０の両側面２２に形成された吐出ユニット１６０に案内する。
【０２０４】
このような分離型吐出ガイド１７２はスチロフォーム材質で形成され、その一面はターボファン１５４の曲率と対応する曲率の案内面１７３を形成する。
【０２０５】
外部ケース２０のベース面２１の背面には補強板１８０が装着される。補強板１８０は金属材質で形成されることが好ましく、ベース面２１にスクリューや固定部材によって装着される。
【０２０６】
このような補強板１８０は、外部ケース２１の背面に上端から下端にモータ１５０が収容される部分を通過するように装着され、外部ケース２０の強度を補強する。
【０２０７】
一方、図２４に示すように、外部ケース２０の背面には室内機を壁面に設置するために、ハンギング孔２００が上端の両側にそれぞれ形成されている。ハンギング孔２００には壁面に備えられたハンギング突起（図示せず）が挿入され、室内機が壁面に支持される。そして、ベース面２１の背面にはその強度を補強するため補強リブ２１０が形成されている。
【０２０８】
以下、上記のような構成を有する本発明の実施形態の作用を詳細に説明する。
【０２０９】
まず、本発明の室内機が冷房モードで動作することを説明する。
【０２１０】
空気調和器が動作しない時には、グリルルーバ４２が吸入部４０を閉鎖し、吐出ユニット１６０の吐出ルーバ１６６が吐出口１６１′を閉鎖する。即ち、それぞれのグリルルーバ４２の先端が前面パネルボディ３２に密着し、吐出ルーバ１６６が吐出グリル１６１の内側に収納されている。
【０２１１】
したがって、塵などの外部の異物質が室内機の内部に流入せず、外部から見て全体的に外部ケース２０が平たい六面体となるので、室内機が設置される壁面からあまり突出しない。
【０２１２】
空気調和器が動作すると、ターボファン１５４が回転し、グリルルーバ４２と吐出ルーバ１６６が駆動して、吸入部４０と吐出口１６１′とがそれぞれ開放される。
【０２１３】
ターボファン１５４の回転によって空気調和のための空間の空気が図１５に矢印で示すように、室内機の前面の吸入部４０を介して室内機の内部に流動する。
【０２１４】
吸入部４０を通過した空気中の塵などの異物質は、フィルタ４５のフィルタ部４６ｆで濾され、脱臭部４７ｆでは匂いが吸着される。フィルタ４５を通過した空気は熱交換機１３０側に流入する。熱交換機１３０では熱交換サイクルの作動流体と空気との間で熱交換が行われる。
【０２１５】
ここでは冷房モードの場合を例示しており、空気から作動流体に熱が伝達され、空気は相対的に低い温度となる。
【０２１６】
熱交換機１３０を通過しながら熱交換された空気は、オリフィス１２０のオリフィス孔１２２を通り、ターボファン１５４に伝達される。空気はターボファン１５４の内部にターボファン１５４の回転中心方向に進入し、ターボファン１５４のブレードによって案内され、円周方向に吐き出される。円周方向に吐き出された空気は直接吐出ユニット１６０に伝達されるか、或いは吐出ガイド１７０，１７２によって案内され、吐出ユニット１６０に伝達される。
【０２１７】
ターボファン１５４から吐き出された空気を案内する他の部分としては、オリフィス１２０の吐出ガイド部１２７と、外部ケース２０のベース面２１とがある。したがって、吐出ガイド１７０，１７２、吐出ガイド部１２７、及びベース面２１によって吐出ユニット１６０に空気が案内される。
【０２１８】
吐出ユニット１６０では吐出グリル１６１に形成された吐出口１６１′を介して空気が吐き出される。この際、吐き出される空気は吐出口１６１′に備えられた吐出ベイン１６９によって案内された後、再び吐出ルーバ１６６に案内され吐き出される。
【０２１９】
吐出ベイン１６９は吐出グリル１６１に一体に形成され、駆動源によっては吐出ルーバ１６６のみが駆動するので、相対的に駆動源にかかる負荷が少なくなり、動作が円滑に行われる。即ち、従来とは異なり、動きのある吐出ルーバ１６６には吐出ベイン１６９が形成されないので、駆動時にかかる負荷が少ない。
【０２２０】
一方、吐出口１６１′から吐き出される空気は吐出ルーバ１６６によって室内機の前方及び側方に案内される。この際、吐出ルーバ１６６の内面は、その上流部から下流部に向かって所定の曲率を有して形成されるので、空気の流動がより効率的に案内されえる。
【０２２１】
また、吐出ルーバ１６６の他の実施形態では、閉塞部１６８により、吐出ルーバ１６６が開放された状態で吐出グリル１６１と、吐出ルーバ１６６の上流部との間の区間が埋められるので、吐出口１６１′を通過した空気がこの部分を介して漏洩する現象が防止される。即ち、閉塞部１６８によって空気の吐出流路が単一化され、吐出口１６１′を通過する空気全体が漏洩せず吐出ルーバ１６６の内面に沿って案内され吐き出される。そして、吐出ベイン１６９によって空気が吐出口１６１′全体にかけて均一に分布され吐き出される。一方、吐出ベイン１６９の形成角度によって所定の方向性を有して吐き出される。
【０２２２】
室内機から吐き出される空気が方向性を有する理由を図２３に基づいて説明する。ここでは、各吐出ベイン１６９が全て第２ハンギング突起２５′方向に傾斜して形成された場合を例示する。このような場合、それぞれの吐出ベイン１６９は、図２３に示すように置かれ、吐出口１６１′を介して吐き出される空気は、室内機を正面から見て全体的に半時計方向に向かう。
【０２２３】
勿論、吐出ベイン１６９の形成方向が既説明したのと反対の場合には、空気は時計方向に吐き出される。
【０２２４】
そして、外部ケース２０の上側面には吐出ユニット１６０が備えられないが、上記のように左右側、及び下側を介して方向性を有して吐き出されると、室内機の正面の吸入通孔部３３を介して吸入される空気と、吐き出される空気とが互いに混ざらず、吐き出された空気が空気調和のための空間により確実に伝達され、全体空間を迅速に均一の温度で冷却しえる。
【０２２５】
また、吐出ユニット１６０が外部ケース２０の上側面には備えられていない理由は、上側面を介して吐き出される場合、冷気は対流現象によって上部から下部に下がるので、冷気が吸入部４０を介して直ぐに室内機の内部に再吸入されるからである。
【０２２６】
したがって、本発明による室内機は、吸入部４０を介しては空気調和のための空間の相対的に高温の空気のみが続けて吸入されるので、熱交換効率を高められる。
【０２２７】
次に、グリルルーバ４２の動作を図１２乃至図１５に基づいて具体的に説明する。
【０２２８】
グリルルーバ４２は、平常はその先端が前面パネル３１に密着して設置され、吸入通孔部３３を遮蔽する。そして、空気調和器の動作時にのみモータ１００の駆動力によって駆動され吸入通孔部３３を開放する。
【０２２９】
このためには、モータ１００が回転し、モータ１００の回転力が駆動ギア１１２に伝達される。駆動ギア１１２に伝達された駆動力は、ラックギアバー１１４の駆動ラックギア部１１５と噛み合うことでラックギアバー１１４に伝達される。したがって、ラックギアバー１１４は、ギアハウジング１１１の収容空間１１１ｓ内で直線運動をする。
【０２３０】
ラックギアバー１１４の直線運動によってそれぞれの従動ラックギア部１１６と噛み合わさる従動ギア１１７が回転し、従動ギア１１７の回転によって連結軸１１８にヒンジ軸４３で連結されているグリルルーバ４２がヒンジ軸４３を中心に回転する。
【０２３１】
そして、モータ１００が逆回転すると、ラックギアバー１１４の移動方向が逆になり、グリルルーバ４２が逆方向に回転する。このような方式でグリルルーバ４２を動作させることで、グリルルーバ４２が吸入通孔部３３を開閉する。
【０２３２】
一方、本発明において従動ギア１１７はギア歯が必要な部分のみで形成された円弧ギア形態を有し、これに合わせて駆動ギア１１２の直径を縮めた。
【０２３３】
したがって、駆動ギア１１７、及び従動ギア１１７の設置のために必要な空間が半分に減り、室内機をスリム化することができる。
【０２３４】
次に、フィルタ４５の着脱過程を説明する。
【０２３５】
フィルタ４５は、前面パネル３１の吸入通孔部３３の前方に設けられ、グリルルーバ４２が設置された状態でも着脱が可能に設置される。
【０２３６】
即ち、各グリルルーバ４２は、通孔フレーム３３′から離隔するように設置されるので、グリルルーバ４２と、通孔フレーム３３′との間にはギャップが存在する。したがって、グリルルーバ４２のうち最も下方に設けられるグリルルーバと、通孔フレームとの間のギャップを介して着脱される。
【０２３７】
より具体的に説明すると、ベースパネル５０を前面パネル３１の下部に下降させ、その上端が前面パネル３１の下端に掛ったままにし、最下端のグリルルーバ４２と、パネルボディ３２の間の隙間にフィルタ４５を出し入れする。
【０２３８】
例えば、フィルタ４５を装着する場合、ユーザは最下端のグリルルーバ４２と、パネルボディ３２の間の隙間を介して、まず、フィルタ４５の上端部を合わせて押し入れた状態でフィルタを上部に押し入れる。この際、フィルタ４５は、吸入フィルタフレーム４６の両端がフィルタ収容端３５の案内を受けながら上部に移動する。このようにして、フィルタ４５が完全に上部に移動すると、上端のハンギング突起４６′がハンギングスロット３６にそれぞれ挿入される。
【０２３９】
そして、吸入通孔部３３の下端に形成されたハンギング突起３６′の後方には吸入フィルタフレーム４６の下端部が位置して掛る。これは、グリルルーバ４２と、通孔フレーム３３′の間にはギャップが存在し、吸入フィルタフレーム４６がややフレキシブルな性質を有するから可能である。
【０２４０】
上記のようにしてフィルタ４５を吸入通孔部３３に取り付けた後は、ベースパネル５０を再び上昇させ、図４に示すような状態に装着させる。
【０２４１】
一方、取付状態のフィルタ４５を脱去させる場合には、ベースパネル５０を前面パネル３１の下部に移動させてから、最下端のグリルルーバ４２の下部に突出しているフィルタ４５の取っ手４９を引っ張る。
【０２４２】
次に、ベースパネル５０の昇降動作について説明する。
【０２４３】
まず、ベースパネル５０のガイドピン５４は、それぞれガイドスロット３４ｇに沿って案内される。そして、両側ガイド５５の間に形成されたガイド溝５５′にはデコパネル３４の側面に突出して形成されたガイド３４′が挿入され、ベースパネル５０の昇降を案内する。
【０２４４】
ベースパネル５０を乗降させる場合には、ベースパネル５０が上昇して前面パネル３１の一定の位置に至ると、ハンイング突起３４ｔに一旦掛り、ベースパネル５０に上昇力を加え続けると、ガイドピン５４の内側面がハンギング突起３４ｔを超えてしまう。
【０２４５】
次いで、ガイドピン５４がハンギング突起３４ｔを完全に超えると、直ぐにハンギング突起３４ｔにガイドピン５４の下端面が掛り、これによってベースパネル５０の自重による下降が防止される。
【０２４６】
また、ベースパネル５０が下部に完全に移動された状態では、ベースパネル５０の補強リブ５２が前面パネル３１に設置された支持棒６２に掛けられ支持され、これによってベースパネル５０が前面パネル３１から勝手に離脱する現象が防止される。
【０２４７】
次に、表示部８０について説明する。
【０２４８】
表示部８０は、光伝達体８３と発光部８４を除いた部分で、図１０に示すように一つの組立体として提供される。そして、表示部８０はベースパネル５０の背面に装着される。この際、光伝達体８３は、ベースパネル５０に融着部５６が融着することで装着される。
【０２４９】
これに先立ち、ベースパネル５０の表示窓５１に発光部８４が収容されるので、光伝達体８３がベースパネル５０に装着されることに伴い、発光部８４は自動的にベースパネル５０の表示窓５１に収容された状態で固定される。このような状態でハウジング８１をベースパネル５０に装着すると、光案内体９０が光伝達体８３の両端に位置し、光源８６からの光が光伝達体８３に伝達されえる。
【０２５０】
一方、光案内体９０は、基板８２上にパンチングされた締結孔８２′に装着される。即ち、装着レグ９４を締結孔８２′に位置させると、フック９５がそれぞれ締結孔８２′の外側端に触れる。
【０２５１】
このような状態で光案内体９０に押力を加えると、フック９５が締結孔８２′の外側端に沿って案内され、装着レグ９４が互いに隣接した方向に弾性変形する。
【０２５２】
そして、フック９５が完全に締結孔８２′の内部に挿入されると、装着レグ９４が元の位置に復元され、フック９５が基板８２の背面に掛る。この際、支持片９６は、基板８２上に支持され、光案内体９０を安定的に支持する。かくして光案内体９０の装着を完了する。
【０２５３】
そして、光案内体９０を基板８２から離脱させる時には、まず、フック９５の斜面を把持した状態で装着レグ９４が互いに隣接する方向に弾性変形するように力を加え、フック９５が基板８２の背面に掛った状態で解除されるようにし、その状態でフック９５を再び基板８２の上部方向に押して、フックが締結孔８２′に抜け出るようにする。ここで、光案内体９０は、光案内孔９２を介して光源から発光した光をより効率的に光伝達体８３に伝達する。
【０２５４】
即ち、光案内体９０の光案内孔９２が光伝達体８３の側面にちょうど密着するので、光源８６から発光した光が周辺に発散せず、全体が光伝達体８３に伝達されえる。したがって、同一の出力の光源を使用しても発光部８４により多量の光を伝達することができる。
【０２５５】
上記のような構成の表示部８０では、光源８６から発光した光が光案内体９０の光案内孔９２を介して光伝達体８３に完全に伝達される。そして、光学的な材質で形成された光伝達体８３を介して発光部８４に光が伝達され、ベースパネル５０の前方に表示窓５１を介して発光される。
【０２５６】
一方、光源８６から提供され、発光部８４によって表示窓５１に表示される色相は多様に設定される。即ち、光源として赤色ダイオード・緑色ダイオード・青色ダイオードを使う場合、電圧が何処に印加されるかによって光の３原色の赤、緑、青がそれぞれ表示され、光源８６から提供される色相を制御すると、多様な色相を表示できる。
【０２５７】
例えば、赤色は予約、緑色は冷房、青色は予約を表示し、そして、光源８６から出る色相の強度を調節しながら混合して出る他の色相は除湿動作として表示できる。
【０２５８】
次に、図１６を参照して、熱交換機１３０がオリフィス１２０のオリフィスボディに締結される過程を説明する。
【０２５９】
一応、熱交換機１３０の両端に設置されるチャンネル１３４の下端部に備えられたハンギング片１３７が支持台１２６にそれぞれ掛るようにし、熱交換機１３０を収容リブ１２３内に収容する。この際、冷媒パイプ１３１と、放熱ピン１３２とで構成される部分は、収容リブ１２３の内側に収納され、チャンネル１３４が収容リブ１２３と、補助収容リブ１２４上に位置する。
【０２６０】
そして、チャンネル１３４の上端にある締結片１３５の締結孔１３５′が締結リブ１２５に対応するようにし、スクリュー１３８を締結孔１３５′に貫通させ締結リブ１２５に締結し、熱交換機１３０をオリフィスボディに固定する。このように、収容リブ１２３の内部に形成された空間に熱交換機１３０が収容されると、熱交換機の周辺は収容リブ１２３によって遮蔽される。したがって、熱交換機１３０を通過しながら熱交換された空気は、オリフィス１２０のオリフィス孔１２２を介してターボファン１５４側に流入し、収容リブ１２３の外側に漏洩しない。即ち、上記のようにして室内機の内部で空気が設計通りに流動する。
【０２６１】
次に、図１８及び図１９に基づき排出器２５０について説明する。
【０２６２】
本発明で排出器２５０は、従来とは異なり、オリフィス１２０と別に形成される。したがって、相対的にオリフィス１２０の構成が簡素化される。また、排出器２５０にはパイプ収容部２５５が一体に形成されることにより、室内機を構成する部品を簡素化しえる。排出器２５０は、外部ケース２０の締結リブ２７ｒに締結孔２５６を貫通したスクリューが締結されることで装着される。そして、パイプ収容部２５５に各種のパイプと電源線などが収容された状態でパイプカバー２５７が外部ケース２０の締結リブ２７ｒ′に締結され設置される。
【０２６３】
このような排出器２５０の排出器部分２５１には、熱交換機１３０で発生した凝縮水が集まる。即ち、熱交換機１３０で空気と作動流体間の熱交換時に発生する凝縮水が熱交換機１３０の下部に設置された排出器部分２５１に落下して集まり、排出器部分２５１に集まった凝縮水は、排水口２５３に連結された排水ホースを介して外部に排出される。この際、排水口２５３は、排出器部分２５１の両側の後方に延長して形成され、排水ホースを選択的に、または同時に連結して排水できる。
【０２６４】
このように排水口２５３が両側に形成されることにより、空気調和器が設置される設置環境に従い、適切な排水口２５３を選択して排水ホースを連結することで、凝縮水が排水されるようにする。
【０２６５】
そして、本発明の排出器２５０はオリフィス１２０と別に形成され、オリフィス１２０のサイズを相対的に減らせることで、オリフィス１２０の製造がさらに容易となる。
【０２６６】
このように、排出器２５０がオリフィス１２０と別に形成されると同時に、パイプ収容部２５５を一体に形成して全体部品の数を最小化し、パイプ収容部２５５の上部を遮蔽するためにパイプカバー２５７をパイプ収容部２５５と別に形成する。
【０２６７】
このように、パイプ収容部２５５と、パイプカバー２５７が別に形成されることで、パイプ収容部２５５にパイプや電源線を収容して、パイプカバー２５７を設置できる。そして、パイプカバー２５７は、外部ケース２０の締結リブ２７ｒ′に締結され、パイプ収容部２５５に収容されるパイプと電源線などをより確実に整理できるように助ける。
【０２６８】
一方、本発明の外部ケース２０は、縦断して見ると梯形状を有し、側面２２のうち外部ケース２０の上面には吐出ユニット１６０を設置するための吐出ユニット収容空間２３を形成していない。したがって、側面２２のうち開放されていない面によって外部ケース２０の全体的な強度が補強される。
【０２６９】
一方、このような構成の外部ケース２０を採択する場合、空気調和器を正面から見て左右両側面と下側面を介して空気が吐き出されるよう吐出流路を形成できる。そして、ベース面２１に備えられる多数個の補強リブ２１０も外部ケース２０全体の強度を補強する役割を果たす。また、ベース面２１の背面に装着される補強板１８０は金属材質からなり、外部ケース２０の上端から下端に所定の幅を有して装着され、外部ケース２０の撓みを防止する。
【０２７０】
特に、補強板１８０が装着されることで外部ケース２０の強度が補強され、ベース面２１に装着される部品、例えば、モータ１５０とターボファン１５４などの部品に対する支持力が向上する。
【０２７１】
一方、本発明の外部ケース２０には吐出ユニット１６０に空気を案内する吐出ガイド部１７０が一体に形成される。このように吐出ガイド部１７０が一体に形成されることで、全体的に空気調和器を形成する部品の数が減る。
【０２７２】
そして、吐出ガイド部１７０にリードワイヤ溝１７１を形成することで、室内機の内部に存在するリードワイヤをきれいに整理できる。
【産業上の利用可能性】
【０２７３】
以上で説明したように、本発明による空気調和器の室内機では外部ケースの左右側と下部側の吐出口を介して冷気が空気調和のための空間に吐き出され、外部ケースの正面の吸入部を介して空気調和のための空間の空気が内部に吸入されるように構成されており、吐き出された冷気が直ぐに吸入部を介して室内機の内部に再吸入される現象が防止される。
【０２７４】
そして、吐出口から吐き出される冷気は方向性を有してさらに遠くまで伝わり、空気調和のための空間がより迅速に所望の温度になりえる。
【０２７５】
そして、室内機の内外部に空気流動が行われる吐出口と吸入部が、動作中にのみ開放されるようになり、外部の塵などの異物質が内部に浸透できないようにする。
【０２７６】
また、空気調和器が動作しない時には、吐出口と吸入部を共に閉鎖するようになっており、外部で室内機の内部が見えなくなるので、室内機の外観が美麗となる。
【０２７７】
本発明ではフィルタの着脱時にベースパネルやグリルルーバなどを前面パネルから分解しなくても良い。したがって、より簡単で迅速にフィルタの着脱作業を行える。特に、フィルタの下端部の取っ手を上下に移動させながらフィルタを着脱できるので、空気調和器が壁面に装着された状態でもフィルタ交換作業を行える。
【０２７８】
本発明のフィルタは、塵ばかりでなく匂いの除去も可能であり、これらが分離可能に一体に組み立てられているので、それの取り扱いや維持補修が容易となる。
【０２７９】
本発明では、排出器がオリフィスと別に形成され、オリフィスの構成を簡素化しながらもパイプ収容部が一体に形成され、全体の構成部品が簡素化される効果がある。そして、凝縮水の排水のための排水口を排出器の両側に形成し、空気調和器の設置環境に応じて選択的に排水ホースを設置できるようにしたので、空気調和器の設置が容易となる。
【０２８０】
本発明では光源から発光した光が漏洩せず発光部に伝達されえるので、同一出力時に相対的に遠くからも表示部の表示状態が分かりやすく、表示部がより簡単な部品構成や高い組立性を有する。
【０２８１】
本発明では一つのモータが多数個のグリルルーバを駆動させるようにして部品を節減しており、グリルルーバの駆動のための全体構成がギアハウジングの内部に収容された状態で組立ラインに提供されえるので、全体的な組立作業の作業性が向上するという効果がある。
【０２８２】
そして、従動ギアは、連結軸を中心に一部にのみギアが形成される円弧ギアの形態を有するので、相対的にその幅が小さく、設置空間が最小化される。したがって、空気調和器の全体の構成をスリム化することができる。
【０２８３】
また、本発明では、駆動源によって駆動する吐出ルーバと、空気吐出時に方個性を与える吐出ガイドとが別に形成され、電力消費を最小化することができ、外部ケースのそれぞれの吐出ユニット収容空間に収容される吐出ユニットの構成が同一であっても構わないので、吐出ユニットを一つの種類で製作しても良い。
【０２８４】
そして、吐出ユニットの装着のために最小限の締結デバイスが使用され、残りは掛かるか外部ケースに固定されるので、室内機の製作費用を減らせる。
【０２８５】
本発明では相対的にオリフィスの強度が補強され、捩れが発生せず、熱交換機が正確に収容しえるので、熱交換機の設置状態が堅固となり、空気の流動案内がより正確に行われる。
【０２８６】
本発明では外部ケースの強度補強のために側面が拡開する形状を有し、ベース面に多数個の補強リブを形成しており、別の補強板をベース面に装着した。
【０２８７】
これにより、外部ケースの強度が増加し、内部に設置される部品によって外部ケースが変更されない。
【０２８８】
そして、本発明では吐出ルーバと吐出ガイドが別個に形成され、駆動源が吐出口を選択的に開閉する吐出ルーバのみを駆動させるだけで済むので、電源消耗を最小化できると共に、吐出ガイドは吐出グリルを支持する役割も果たすので、吐出ユニットの強度が補強される。
【０２８９】
最後に、本発明の吐出ルーバは、その内面が全体的に同一の曲率を有するので、吐出口を介して空気が円滑に排出されえるし、吐出ルーバの外面に閉塞部を形成して、吐き出される空気を吐出ルーバの内面が全て案内するようにすることで、空気の吐出がより正確に行われえる。
【０２９０】
以上で説明したように、本発明は産業上非常に有用なものである。
【図面の簡単な説明】
【０２９１】
【図１】従来技術による空気調和器の室内機の構成を示す正面図。
【図２】従来技術による空気調和器の室内機の構成を示す側断面図。
【図３】本発明による空気調和器の室内機の好ましい実施形態の外観構成を示す斜視図。
【図４】本発明の実施形態の外観構成を示す正面図。
【図５】本発明の実施形態の前面パネルと周辺構成を示す分解斜視図。
【図６】本発明の実施形態のフィルタの構成を示す分解斜視図。
【図７】図５のＡ部拡大斜視図で、実施形態の前面パネルの要部構成を示す斜視図。
【図８】本発明の実施形態のベースパネルの背面を示す斜視図。
【図９】本発明の実施形態のロッカー及びその装着構造を示す分解斜視図。
【図１０】本発明の実施形態の表示部の構成を示す分解斜視図。
【図１１】本発明の実施形態の表示部に使用される光伝達体の構成を示す斜視図。
【図１２】本発明の実施形態の前面パネルの背面に設置される構成を示す斜視図。
【図１３】本発明の実施形態で吐出グリルを駆動させるための構成を示す分解斜視図。
【図１４】本発明の実施形態で吐出グリルを駆動させるための構成を示す斜視図。
【図１５】本発明の実施形態の室内機の内部構成を示す断面図。
【図１６】本発明の実施形態の熱交換機とオリフィスの構成を示す分解斜視図。
【図１７】本発明の実施形態でオリフィスに熱交換機が装着される構成を示す要部斜視図。
【図１８】本発明の実施形態で排出器が設置されることを示す分解斜視図。
【図１９】本発明の実施形態で排出器が設置されることを示す分解斜視図。
【図２０】本発明の実施形態で外部ケースと吐出ユニットの構成を示す分解斜視図。
【図２１】本発明の実施形態を構成する吐出ルーバの構成を示す斜視図。
【図２２】本発明の実施形態を構成する吐出ルーバの変形例を示す斜視図。
【図２３】本発明の実施形態で空気が吐き出される方向を説明する動作状態図。
【図２４】本発明の実施形態を構成する外部ケースの構成を示す背面斜視図。
【符号の説明】
【０２９２】
２０  外部ケース
４０  吸入部
４２  グリルルーバ
４５  フィルタ
５０  ベースパネル
６０  ロッカー
６２  支持棒
７０  ロッカー装着部
７１  ガイドリブ
７３  通孔
８０  表示部
８１  ハウジング
８２  基板
８６  光源
９０  光案内体
９１  ボディ
９４  装着レグ
１００  モータ
１１０  動力伝達部
１１１  ギアハウジング
１１２  駆動ギア
１１３  従動ギア
１１４  ラックギアバー
１１５  駆動ラックギア部
１１６  従動ラックギア部
１１７  従動ギア
１１８  連結軸
１２０  オリフィス
１３０  熱交換機
１４０  制御部
１５０  モータ
１５１  モータ軸
１５２  モータブラケット
１５４  ターボファン
１６０  吐出ユニット
１６１  吐出グリル
１６６  吐出ルーバ
１６９  吐出ベイン
１７２  吐出ガイド
１７３  案内面
１８０  補強板
【図１】
2004529308.tif 000003
【図２】
2004529308.tif 000004
【図１９】
2004529308.tif 000005
【国際公開パンフレット】
2004529308.tif 000006
2004529308.tif 000007
2004529308.tif 000008
2004529308.tif 000009
2004529308.tif 000010
2004529308.tif 000011
2004529308.tif 000012
2004529308.tif 000013
2004529308.tif 000014
2004529308.tif 000015
2004529308.tif 000016
2004529308.tif 000017
2004529308.tif 000018
2004529308.tif 000019
2004529308.tif 000020
2004529308.tif 000021
2004529308.tif 000022
2004529308.tif 000023
2004529308.tif 000024
2004529308.tif 000025
2004529308.tif 000026
2004529308.tif 000027
2004529308.tif 000028
2004529308.tif 000029
2004529308.tif 000030
2004529308.tif 000031
2004529308.tif 000032
2004529308.tif 000033
2004529308.tif 000034
2004529308.tif 000035
2004529308.tif 000036
2004529308.tif 000037
2004529308.tif 000038
2004529308.tif 000039
2004529308.tif 000040
2004529308.tif 000041
2004529308.tif 000042
2004529308.tif 000043
2004529308.tif 000044
2004529308.tif 000045
2004529308.tif 000046
2004529308.tif 000047
2004529308.tif 000048
2004529308.tif 000049
2004529308.tif 000050
2004529308.tif 000051
2004529308.tif 000052
2004529308.tif 000053
2004529308.tif 000054
2004529308.tif 000055
2004529308.tif 000056
2004529308.tif 000057
2004529308.tif 000058
2004529308.tif 000059
2004529308.tif 000060
2004529308.tif 000061
2004529308.tif 000062
2004529308.tif 000063
2004529308.tif 000064
2004529308.tif 000065
2004529308.tif 000066
2004529308.tif 000067
2004529308.tif 000068
2004529308.tif 000069
2004529308.tif 000070
2004529308.tif 000071
2004529308.tif 000072
2004529308.tif 000073
2004529308.tif 000074
2004529308.tif 000075
2004529308.tif 000076
2004529308.tif 000077
2004529308.tif 000078
2004529308.tif 000079
2004529308.tif 000080
2004529308.tif 000081
2004529308.tif 000082
2004529308.tif 000083
2004529308.tif 000084
2004529308.tif 000085
2004529308.tif 000086
2004529308.tif 000087
2004529308.tif 000088
2004529308.tif 000089
2004529308.tif 000090
2004529308.tif 000091
2004529308.tif 000092
2004529308.tif 000093
2004529308.tif 000094
2004529308.tif 000095
2004529308.tif 000096
2004529308.tif 000097
2004529308.tif 000098
2004529308.tif 000099
2004529308.tif 000100
2004529308.tif 000101
2004529308.tif 000102
2004529308.tif 000103
2004529308.tif 000104
2004529308.tif 000105
2004529308.tif 000106
2004529308.tif 000107
2004529308.tif 000108
2004529308.tif 000109
2004529308.tif 000110
2004529308.tif 000111
2004529308.tif 000112
2004529308.tif 000113
2004529308.tif 000114
2004529308.tif 000115
2004529308.tif 000116
2004529308.tif 000117
2004529308.tif 000118
2004529308.tif 000119
2004529308.tif 000120
2004529308.tif 000121
2004529308.tif 000122
【国際調査報告】
2004529308.tif 000123